(57)【要約】  情報端末（１）は、表示面の外縁の少なくとも１辺に形成された切欠き部（２４０）と、切欠き部（２４０）が形成される１辺に沿って設けられ、かつ、切欠き部（２４０）と隣接する位置に設けられる第１表示領域（２１０）および第２表示領域（２２０）と、第１表示領域（２１０）および第２表示領域（２２０）に対する、ユーザからのタッチ操作を検出するタッチ操作検出部とを備える。
2019003519.tif 000002
【特許請求の範囲】
【請求項１】
表示面の外縁の少なくとも１辺に形成された切欠き部と、
前記切欠き部が形成される１辺に沿って設けられ、かつ、前記切欠き部と隣接する位置に設けられる表示領域と、
前記表示領域に対する、ユーザからのタッチ操作を検出するタッチ操作検出部とを備えることを特徴とする電子機器。
【請求項２】
前記表示領域の表示は、前記ユーザによるタッチ操作によってスクロールされることを特徴とする請求項１に記載の電子機器。
【請求項３】
前記表示領域は、前記切欠き部によって第１表示領域および第２表示領域に分割されることを特徴とする請求項１に記載の電子機器。
【請求項４】
電話の着信があった場合、前記第１表示領域には、前記電話の着信の通知が表示され、前記第２表示領域には、前記電話に応答するための応答ボタン、および前記電話を拒否するための拒否ボタンが表示されることを特徴とする請求項３に記載の電子機器。
【請求項５】
前記表示面は、前記第１表示領域、前記第２表示領域、および前記切欠き部の内側を含む領域以外の領域である第３表示領域を含み、
前記ユーザによってウェブブラウザが起動している場合、
前記第１表示領域には、前記ウェブブラウザのページを戻すための第１ボタンが表示され、
前記第２表示領域には、前記ウェブブラウザのページを進めるための第２ボタンが表示され、
前記第３表示領域には、前記ウェブブラウザのページの内容が表示されることを特徴とする請求項３に記載の電子機器。
【請求項６】
前記表示面は、前記第１表示領域、前記第２表示領域、および前記切欠き部の内側を含む領域以外の領域である第３表示領域を含み、
前記第１表示領域および前記第２表示領域にはそれぞれ、最小化された状態のアプリケーションが表示され、
前記最小化された状態のアプリケーションが前記ユーザによりタッチされると、前記アプリケーションに関する内容が前記第３表示領域に表示されることを特徴とする請求項３に記載の電子機器。
【請求項７】
メールの着信があった場合、前記第１表示領域には、前記メールの着信の通知が表示され、前記第２表示領域には、前記メールの内容を表示させるための表示ボタン、および前記メールの内容を表示させないための非表示ボタンが表示され、
前記表示ボタンが前記ユーザによりタッチされると、前記第１表示領域には、前記メールの送信者およびタイトルが表示され、前記第２表示領域には、前記メールの内容が表示され、
前記非表示ボタンが前記ユーザによりタッチされると、前記表示面には、前記メールの送信者、タイトル、および内容が表示されないことを特徴とする請求項３に記載の電子機器。
【請求項８】
前記第１表示領域の表示は、前記ユーザによるタッチ操作によってスクロールされ、前記第２表示領域の表示は、前記ユーザによるタッチ操作によってスクロールされないことを特徴とする請求項３に記載の電子機器。
【請求項９】
表示面の外縁の少なくとも１辺に形成された切欠き部と、前記切欠き部が形成される１辺に沿って設けられ、かつ、前記切欠き部と隣接する位置に設けられる表示領域とを備える電子機器の制御方法において、
前記表示領域に対する、ユーザからのタッチ操作を検出するタッチ操作検出工程を含むことを特徴とする電子機器の制御方法。
【請求項１０】
請求項１に記載の電子機器としてコンピュータを機能させるための制御プログラムであって、前記タッチ操作検出部としてコンピュータを機能させるための制御プログラム。
【発明の詳細な説明】
【技術分野】
【０００１】
本発明は、電子機器、電子機器の制御方法、および制御プログラムに関する。
【背景技術】
【０００２】
非特許文献１に、表示面の上部中央に切欠きが形成され、切欠きの左右に時刻または電池残量等を表示する表示領域が設けられている情報端末が開示されている。
【先行技術文献】
【非特許文献】
【０００３】
【非特許文献１】Essential、“Essential Products | My Phone is Essential”、［online］、［平成２９年６月２０日検索］、インターネット＜ＵＲＬ：https://www.essential.com＞
【発明の概要】
【発明が解決しようとする課題】
【０００４】
しかしながら、非特許文献１に開示されている情報端末では、切欠きの左右の表示領域に時刻および電池残量が表示されているだけであり、切欠きの左右の表示領域を有効に利用することを提案するものではない。【０００５】
本発明の一態様は、切欠きに隣接する表示領域を有効に利用可能な電子機器を実現することを目的とする。
【課題を解決するための手段】
【０００６】
上記の課題を解決するために、本発明の一態様に係る電子機器は、表示面の外縁の少なくとも１辺に形成された切欠き部と、前記切欠き部が形成される１辺に沿って設けられ、かつ、前記切欠き部と隣接する位置に設けられる表示領域と、前記表示領域に対する、ユーザからのタッチ操作を検出するタッチ操作検出部とを備える。【０００７】
また、本発明の一態様に係る電子機器の制御方法は、表示面の外縁の少なくとも１辺に形成された切欠き部と、前記切欠き部が形成される１辺に沿って設けられ、かつ、前記切欠き部と隣接する位置に設けられる表示領域とを備える電子機器の制御方法において、前記表示領域に対する、ユーザからのタッチ操作を検出するタッチ操作検出工程を含む。
【発明の効果】
【０００８】
本発明の一態様によれば、切欠きに隣接する表示領域を有効に利用可能な電子機器を実現するという効果を奏する。
【図面の簡単な説明】
【０００９】
【図１】本発明の実施形態１に係る情報端末の構造を示す図である。
【図２】図１に示す情報端末の要部構成を示すブロック図である。
【図３】図１に示す情報端末の第１表示領域および第２表示領域の表示の変化を示す図である。
【図４】図１に示す情報端末の第１表示領域および第２表示領域の表示の変化を示す図である。
【図５】本発明の実施形態２に係る情報端末の表示部の表示の変化を示す図である。
【図６】本発明の実施形態３に係る情報端末の第１表示領域および第２表示領域の表示を示す図である。
【図７】本発明の実施形態４に係る情報端末の第１表示領域および第２表示領域の表示を示す図である。
【図８】本発明の実施形態５に係る情報端末の第１表示領域および第２表示領域の表示を示す図である。
【図９】図８に示す情報端末の第１表示領域および第２表示領域の表示を示す図である。
【図１０】本発明の実施形態６に係る情報端末の第１表示領域および第２表示領域の表示を示す図である。
【発明を実施するための形態】
【００１０】
〔実施形態１〕
本発明の実施形態について、図１〜図４に基づいて説明すれば、以下のとおりである。図１は、本発明の実施形態１に係る情報端末１（電子機器）の構造を示す図である。図２は、図１に示す情報端末１の要部構成を示すブロック図である。なお、ここでは、情報端末１において、切欠き部２４０が形成されている側を上方、上方とは逆方向を下方とする。
【００１１】
（情報端末１の構成）
情報端末１は、図２に示すように、通信部１０、表示部２０、制御部３０、および記憶部４０を備えている。情報端末１は、例えば、スマートフォンまたはタブレット端末等の携帯情報端末であってもよい。通信部１０は、外部の機器からの受信電波を通信データに変換し、通信制御部３１０に供給する。
【００１２】
表示部２０は、図１に示すように、第１表示領域２１０（表示領域）、第２表示領域２２０（表示領域）、第３表示領域２３０、およびカメラ２５０を有する。表示部２０は、表示制御部３２０の指示にしたがって画像を表示するものである。表示部２０は、操作用の各種アイコン、またはユーザの操作指示に応じた文字情報等を表示する。
【００１３】
表示部２０は、ユーザからのタッチ操作を受け付ける操作入力機能を備えたタッチパネルである。つまり、表示部２０は、表示デバイスとタッチパネルデバイスとを一体としたものである。ユーザは、表示部２０を指で触ることによって、表示部２０に表示されているアイコン等の操作、および画面のスクロール等を行うことができる。表示部２０の形状は、図１に示すように、切欠き部２４０を含む形状である。
【００１４】
表示部２０において、切欠き部２４０が形成される１辺に沿って設けられる表示領域は、切欠き部２４０によって第１表示領域２１０および第２表示領域２２０に分割される。切欠き部２４０と隣接する位置に設けられる第１表示領域２１０および第２表示領域２２０は、ユーザによってタッチ操作が可能な領域である。
【００１５】
第１表示領域２１０は、表示部２０の上部中央に形成された切欠き部２４０の左側に設けられた領域である。第１表示領域２１０には、操作用の各種アイコンまたは通知等が表示される。切欠き部２４０の縦幅をＹ１とすると、第１表示領域２１０の縦幅は、Ｙ１と同一である。また、第１表示領域２１０は、切欠き部２４０が形成された辺Ｅ１に沿って設けられている。辺Ｅ１は、表示部２０の外縁の１辺である。
【００１６】
第２表示領域２２０は、切欠き部２４０の右側に設けられた領域である。第２表示領域２２０には、操作用の各種アイコンまたは通知等が表示される。第２表示領域２２０の縦幅は、Ｙ１と同一である。また、第２表示領域２２０は、切欠き部２４０が形成された辺Ｅ１に沿って設けられている。
【００１７】
第３表示領域２３０は、第１表示領域２１０、第２表示領域２２０、および切欠き部２４０の下側に設けられた領域である。また、第３表示領域２３０は、表示部２０の表示面において、第１表示領域２１０、第２表示領域２２０、および切欠き部２４０の内側を含む領域以外の領域である。第３表示領域２３０は、使用者の操作指示に応じた文字情報等を表示する。
【００１８】
切欠き部２４０は、表示部２０の上部中央に形成されており、表示部２０の表示面の一部を切り欠くように形成されている。なお、図１では、切欠き部２４０は、表示部２０の上部中央に形成されているが、切欠き部２４０が表示部２０の外縁の少なくとも１辺に形成されていれば、切欠き部２４０が形成される場所は特に限定されない。
【００１９】
例えば、切欠き部２４０は、表示部２０の上部左端に形成されてもよく、表示部２０の上部右端に形成されてもよいし、表示部２０の下部、左縁、または右縁に形成されていてもよい。また、切欠き部２４０は、表示部２０の上部中央から左または右にずれて形成されていてもよい。さらに、表示部２０に形成される切欠き部２４０の数は特に限定されない。例えば、切欠き部２４０は、表示部２０の上部に２つ以上形成されてもよい。
【００２０】
なお、切欠き部２４０が表示部２０の外縁の少なくとも１辺に形成されている場合、第１表示領域２１０および第２表示領域２２０は、切欠き部２４０が形成されている、表示部２０の外縁の１辺に沿って設けられる。
【００２１】
切欠き部２４０の形状は、図１では半円状の形状になっているが、特に限定されない。例えば、切欠き部２４０の形状は、正方形の形状であってもよく、長方形の形状であってもよい。
【００２２】
カメラ２５０は、表示部２０の切欠き部２４０の内側に設けられている。なお、切欠き部２４０の内側には、カメラ２５０に限らず、マイク、スイッチ、または各種センサ等のデバイスが設けられてもよい。
【００２３】
制御部３０は、通信制御部３１０、表示制御部３２０、およびタッチ操作検出部３３０を備えている。通信制御部３１０は、通信部１０を介して外部の機器から受け取った通信データを表示制御部３２０に供給する。
【００２４】
表示制御部３２０は、通信制御部３１０から供給された通信データに基づいて、表示部２０にそのデータに関する内容を表示させる。また、表示制御部３２０は、タッチ操作検出部３３０から供給された、タッチ操作に関するデータを記憶部４０に格納し、そのデータに基づいて、表示部２０にそのデータに関する内容を表示させる。
【００２５】
タッチ操作検出部３３０は、表示部２０に入力されたユーザからのタッチ操作を検出する。タッチ操作検出部３３０は、検出したタッチ操作に関するデータを表示制御部３２０および処理実行部３４０に供給する。処理実行部３４０は、タッチ操作検出部３３０から供給された、検出したタッチ操作に関するデータに基づいて処理を実行する。
【００２６】
（画面のスクロール操作）
次に、第１表示領域２１０および第２表示領域２２０の画面のスクロール操作（電子機器の制御方法）について図３および図４に基づいて説明する。図３および図４は、図１に示す情報端末１の第１表示領域２１０および第２表示領域２２０の表示の変化を示す図である。ユーザが、第１表示領域２１０から第２表示領域２２０に向かって、表示部２０の表示面を指でなぞることにより、第１表示領域２１０および第２表示領域２２０に表示される画像が変化する。このとき、ユーザが指でなぞる表示面の部分は、第１表示領域２１０、第２表示領域２２０、および切欠き部２４０に該当する部分である。
【００２７】
具体的には、図３の（ａ）、図３の（ｂ）、図４の（ａ）、図４の（ｂ）、および図４の（ｃ）の順に、第１表示領域２１０および第２表示領域２２０に表示される画像が変化する。図４の（ｃ）に示す状態の後は、再度、図３の（ａ）に示す状態に変化する。
【００２８】
ここで、「通知が５件あります。」との表示を表示Ａとし、「Ｘさんから１６時００分に着信がありました。」との表示を表示Ｂとし、時刻および電池残量の表示を表示Ｃとする。また、アプリケーションａ１、ａ２、ａ３の表示を表示Ｄとし、アプリケーションａ４、ａ５、ａ６の表示を表示Ｅとする。第１表示領域２１０および第２表示領域２２０に表示されているアプリケーションは、起動している状態であるアプリケーションである。
【００２９】
図３の（ａ）では、第１表示領域２１０に表示Ｂが表示され、第２表示領域２２０に表示Ａが表示されている。ここで、ユーザが、第１表示領域２１０から第２表示領域２２０に向かって、表示面を指でなぞることにより、表示部２０に、ユーザからのタッチ操作が入力され、タッチ操作検出部３３０は、表示部２０を介してユーザからのタッチ操作を検出する（タッチ操作検出工程）。このとき、ユーザが指でなぞる表示面の部分は、第１表示領域２１０、第２表示領域２２０、および切欠き部２４０に該当する部分である。
【００３０】
タッチ操作検出部３３０は、検出したタッチ操作に関するデータを表示制御部３２０に供給する。表示制御部３２０は、タッチ操作検出部３３０から供給された、タッチ操作に関するデータを記憶部４０に格納し、そのデータに基づいて、表示部２０にそのデータに関する内容を表示させる。その結果、図３の（ｂ）に示すように、第１表示領域２１０に表示Ｃが表示され、第２表示領域２２０に表示Ｂが表示されるようになる。第１表示領域２１０および第２表示領域２２０には表示Ａが表示されなくなる。
【００３１】
同様に、図３の（ｂ）に示す状態で、ユーザが、第１表示領域２１０から第２表示領域２２０に向かって表示面を指でなぞることにより、図４の（ａ）に示すように、第１表示領域２１０に表示Ｄが表示され、第２表示領域２２０に表示Ｃが表示されるようになる。第１表示領域２１０および第２表示領域２２０には表示Ｂが表示されなくなる。
【００３２】
また、図４の（ａ）に示す状態で、ユーザが、第１表示領域２１０から第２表示領域２２０に向かって、表示面を指でなぞることにより、図４の（ｂ）に示すように、第１表示領域２１０に表示Ｅが表示され、第２表示領域２２０に表示Ｄが表示されるようになる。第１表示領域２１０および第２表示領域２２０には表示Ｃが表示されなくなる。
【００３３】
さらに、図４の（ｂ）に示す状態で、ユーザが、第１表示領域２１０から第２表示領域２２０に向かって表示面を指でなぞることにより、図４の（ｃ）に示すように、第１表示領域２１０に表示Ａが表示され、第２表示領域２２０に表示Ｅが表示されるようになる。第１表示領域２１０および第２表示領域２２０には表示Ｄが表示されなくなる。
【００３４】
つまり、第１表示領域２１０および第２表示領域２２０において、ユーザが、第１表示領域２１０から第２表示領域２２０に向かって、表示面を指でなぞることにより、表示が左から右へとスクロールされる。
【００３５】
言い換えると、ユーザが、第１表示領域２１０から第２表示領域２２０に向かって、表示面を指でなぞることにより、第１表示領域２１０に表示されていた表示が、第２表示領域２２０に表示されるようになる。また、第２表示領域２２０に表示されていた表示が表示されなくなる。さらに、第１表示領域２１０には、新たな表示が表示されるようになる。
【００３６】
また、ユーザが、第２表示領域２２０から第１表示領域２１０に向かって、表示面を指でなぞることにより、表示が右から左へとスクロールされる。このように、第１表示領域２１０および第２表示領域２２０において表示がスクロールされるとき、第３表示領域２３０の表示は変化しない。
【００３７】
以上により、切欠き部２４０と隣接する位置に設けられる第１表示領域２１０および第２表示領域２２０は、ユーザによってタッチ操作が可能な領域である。よって、切欠きに隣接する表示領域を有効に利用可能な情報端末１を実現することができる。
【００３８】
また、第１表示領域２１０および第２表示領域２２０の表示は、ユーザによるタッチ操作によってスクロールされる。よって、第３表示領域２３０の表示をそのままにしながら、第１表示領域２１０および第２表示領域２２０において、ユーザは、より多くの表示を見ることができる。
【００３９】
さらに、切欠き部２４０が形成される１辺に沿って設けられる表示領域は、切欠き部２４０によって第１表示領域２１０および第２表示領域２２０に分割される。よって、例えば、第１表示領域２１０および第２表示領域２２０それぞれに、互いに別の内容のものを表示させることができる。
【００４０】
〔実施形態２〕
本発明の他の実施形態について、図５に基づいて説明すれば、以下のとおりである。なお、説明の便宜上、前記実施形態にて説明した部材と同じ機能を有する部材については、同じ符号を付記し、その説明を省略する。図５は、本発明の実施形態２に係る情報端末１の表示部２０の表示の変化を示す図である。
【００４１】
情報端末１が電話の着信を受けた場合、通信制御部３１０は、通信部１０を介して電話の着信を受ける。通信制御部３１０は、電話の着信の通知を表示制御部３２０に供給する。表示制御部３２０は、通信制御部３１０から供給された電話の着信の通知に基づいて、表示部２０の第１表示領域２１０に電話の着信の通知を表示させ、表示部２０の第２表示領域２２０に応答ボタンｂ１および拒否ボタンｂ２を表示させる。
【００４２】
これにより、図５の（ａ）に示すように、第１表示領域２１０に「Ｘさんから着信中・・・」との表示および電話をかけてきた相手の電話番号が表示され、第２表示領域２２０に応答ボタンｂ１および拒否ボタンｂ２が表示される。なお、図５の（ａ）に示す状態において、第３表示領域２３０の表示は、ユーザが操作している画面の表示であり、電話がかかってくる前の状態から変化しない。
【００４３】
ユーザが応答ボタンｂ１を指でタッチした場合、表示部２０に、ユーザからのタッチ操作が入力され、タッチ操作検出部３３０は、表示部２０を介してユーザからのタッチ操作を検出する。タッチ操作検出部３３０は、検出したタッチ操作に関するデータを表示制御部３２０および処理実行部３４０に供給する。
【００４４】
処理実行部３４０は、タッチ操作検出部３３０から供給された、タッチ操作に関するデータに基づいて、電話に応答した状態に移るように処理を実行する。表示制御部３２０は、タッチ操作検出部３３０から供給された、タッチ操作に関するデータを記憶部４０に格納し、そのデータに基づいて、表示部２０にそのデータに関する内容を表示させる。その結果、ユーザが電話に応答したことになり、図５の（ｂ）に示すように、第３表示領域２３０に電話をかけてきた相手の名前、画像、および電話番号が表示される。つまり、第３表示領域２３０は通話状態の画面を表示する。
【００４５】
なお、ユーザが拒否ボタンｂ２を指でタッチした場合、ユーザは電話を拒否したことになり、図５の（ｃ）に示すように、第１表示領域２１０に「Ｘさんからたった今着信がありました。」と表示され、第２表示領域２２０に時刻および電池残量が表示される。なお、図５の（ｃ）に示す状態において、第３表示領域２３０の表示は、ユーザが操作している画面の表示であり、電話がかかってくる前の状態から変化しない。
【００４６】
以上により、ユーザが操作している、第３表示領域２３０の表示をそのままにしながら、第１表示領域２１０および第２表示領域２２０にて、電話の着信の通知をユーザに知らせ、かつ、ユーザは電話に応答または拒否することができる。
【００４７】
〔実施形態３〕
本発明の他の実施形態について、図６に基づいて説明すれば、以下のとおりである。なお、説明の便宜上、前記実施形態にて説明した部材と同じ機能を有する部材については、同じ符号を付記し、その説明を省略する。図６は、本発明の実施形態３に係る情報端末１の第１表示領域２１０および第２表示領域２２０の表示を示す図である。
【００４８】
ユーザが情報端末１でウェブブラウザを起動した場合、表示部２０に、ユーザからのタッチ操作が入力され、タッチ操作検出部３３０は、表示部２０を介してユーザからのタッチ操作を検出する。タッチ操作検出部３３０は、検出したタッチ操作に関するデータを表示制御部３２０および処理実行部３４０に供給する。
【００４９】
処理実行部３４０は、タッチ操作検出部３３０から供給された、タッチ操作に関するデータに基づいて、ウェブブラウザを起動させる処理を実行する。表示制御部３２０は、タッチ操作検出部３３０から供給された、タッチ操作に関するデータを記憶部４０に格納する。表示制御部３２０は、そのデータに基づいて、第１表示領域２１０に戻るボタンｂａ１（第１ボタン）を表示させ、第２表示領域２２０に進むボタンｂａ２（第２ボタン）を表示させる。また、表示制御部３２０は、第３表示領域２３０にウェブページ（ウェブブラウザのページ）の内容を表示させる。その結果、図６の（ａ）に示すように、第１表示領域２１０に戻るボタンｂａ１、第２表示領域２２０に進むボタンｂａ２が表示され、第３表示領域２３０にウェブページの内容が表示される。戻るボタンｂａ１は、ウェブページを戻すためのボタンであり、進むボタンｂａ２は、ウェブページを進めるためのボタンである。
【００５０】
また、ユーザが情報端末１でウェブブラウザを起動した場合、図６の（ｂ）に示すような状態でもよい。具体的には、第１表示領域２１０に戻るボタンｂａ１および進むボタンｂａ２が表示され、第２表示領域２２０にボタンｂａ３〜ｂａ５が表示されてもよい。ボタンｂａ３〜ｂａ５は、例えば、ウェブブラウザのホームボタン、またはウェブブラウザの設定ボタンであってもよい。
【００５１】
なお、第２表示領域２２０に戻るボタンｂａ１および進むボタンｂａ２が表示されてもよい。第１表示領域２１０および第２表示領域２２０に表示されるボタンの種類は特に限定されない。
【００５２】
これにより、第３表示領域２３０に戻るボタンｂａ１および進むボタンｂａ２を表示する必要がないので、第３表示領域２３０の表示可能な範囲を広くすることができる。また、第３表示領域２３０の表示を妨げることなく、ユーザはウェブブラウザを操作することができる。
【００５３】
〔実施形態４〕
本発明の他の実施形態について、図７に基づいて説明すれば、以下のとおりである。なお、説明の便宜上、前記実施形態にて説明した部材と同じ機能を有する部材については、同じ符号を付記し、その説明を省略する。図７は、本発明の実施形態４に係る情報端末１の第１表示領域２１０および第２表示領域２２０の表示を示す図である。
【００５４】
ユーザが情報端末１でアプリケーションを複数起動している場合、図７に示すように、第１表示領域２１０にアプリケーションａａ１〜ａａ５が最小化された状態で表示される。また、第２表示領域２２０にアプリケーションａａ６〜ａａ１０が最小化された状態で表示される。
【００５５】
例えば、ユーザがアプリケーションａａ１を指でタッチした場合、表示部２０に、ユーザからのタッチ操作が入力され、タッチ操作検出部３３０は、表示部２０を介してユーザからのタッチ操作を検出する。タッチ操作検出部３３０は、検出したタッチ操作に関するデータを表示制御部３２０および処理実行部３４０に供給する。
【００５６】
処理実行部３４０は、タッチ操作検出部３３０から供給された、タッチ操作に関するデータに基づいて、アプリケーションａａ１を操作可能にする処理を実行する。表示制御部３２０は、タッチ操作検出部３３０から供給された、タッチ操作に関するデータを記憶部４０に格納し、そのデータに基づいて、表示部２０にそのデータに関する内容を表示させる。その結果、第３表示領域２３０にアプリケーションａａ１に関する内容が表示され、アプリケーションａａ１は操作可能になる。
【００５７】
また、第３表示領域２３０にアプリケーションａａ１に関する内容が表示されている状態で、ユーザがアプリケーションａａ１０を指でタッチした場合、第３表示領域２３０にアプリケーションａａ１０に関する内容が表示される。アプリケーションａａ１は最小化された状態で第１表示領域２１０に戻る。第３表示領域２３０にアプリケーションａａ１０に関する内容が表示されるとき、アプリケーションａａ１０は操作可能になる。つまり、アプリケーションａａ１に代わり、アプリケーションａａ１０が第３表示領域２３０に表示され、操作可能になる。
【００５８】
これにより、起動中のアプリケーションａａ１〜ａａ１０が、最小化された状態で第１表示領域２１０および第２表示領域２２０に表示されているので、ユーザは、アプリケーションの切り替えを容易かつ素早く行うことができる。また、ユーザは、バックグラウンドで起動しているアプリケーションの数を容易に把握することができる。第１表示領域２１０および第２表示領域２２０に表示可能なアプリケーションの数は任意に設定されることが可能である。
【００５９】
〔実施形態５〕
本発明の他の実施形態について、図８および図９に基づいて説明すれば、以下のとおりである。なお、説明の便宜上、前記実施形態にて説明した部材と同じ機能を有する部材については、同じ符号を付記し、その説明を省略する。図８は、本発明の実施形態５に係る情報端末１の第１表示領域２１０および第２表示領域２２０の表示を示す図である。図９は、図８に示す情報端末１の第１表示領域２１０および第２表示領域２２０の表示を示す図である。
【００６０】
情報端末１がメールの着信を受けた場合、通信制御部３１０は、通信部１０を介してメールの着信を受ける。通信制御部３１０は、メールの着信の通知を表示制御部３２０に供給する。表示制御部３２０は、通信制御部３１０から供給されたメールの着信の通知に基づいて、表示部２０の第１表示領域２１０にメールの着信の通知を表示させ、表示部２０の第２表示領域２２０にボタンｂｂ１（表示ボタン）およびボタンｂｂ２（非表示ボタン）を表示させる。
【００６１】
これにより、図８に示すように、第１表示領域２１０に「Ｘさんからメールが届きました。」との表示が表示され、第２表示領域２２０にボタンｂｂ１およびボタンｂｂ２が表示される。
【００６２】
ボタンｂｂ１には「ここで読む」と表示されており、ボタンｂｂ１は、メールの内容を表示させるためのボタン、つまり、ユーザがメールの内容を読むためのボタンである。ボタンｂｂ２には「後で読む」と表示されており、ボタンｂｂ２は、メールの内容を表示させないためのボタン、つまり、ユーザがメールの内容を後で読むためのボタンである。なお、図８に示す状態において、第３表示領域２３０の表示は、ユーザが操作している画面の表示であり、メールが着信する前の状態から変化しない。
【００６３】
ユーザがボタンｂｂ１を指でタッチした場合、表示部２０に、ユーザからのタッチ操作が入力され、タッチ操作検出部３３０は、表示部２０を介してユーザからのタッチ操作を検出する。タッチ操作検出部３３０は、検出したタッチ操作に関するデータを表示制御部３２０に供給する。表示制御部３２０は、タッチ操作検出部３３０から供給された、タッチ操作に関するデータを記憶部４０に格納する。
【００６４】
表示制御部３２０は、そのデータに基づいて、第１表示領域２１０に、メールの送信者の名前およびメールのタイトルを表示させ、第２表示領域２２０に、メールの内容を表示させる。その結果、図９の（ａ）に示すように、第１表示領域２１０に、メールの送信者およびメールのタイトルが表示され、第２表示領域２２０に、メールの内容が表示される。なお、第１表示領域２１０に、メールの内容が表示され、第２表示領域２２０に、メールの送信者の名前およびメールのタイトルが表示されてもよい。これにより、メールの内容を確認しながら、常にメールの送信者を意識することができる。
【００６５】
ここで、「日時と行き先のセッティングありがとう！」との表示を表示Ｆとし、「教えてもらった日時で全然問題ないです。」との表示を表示Ｇとし、「細かいところはまた来週会うとき話しましょう。」との表示を表示Ｈとする。
【００６６】
図９の（ａ）に示す状態において、第２表示領域２２０の右縁から左縁に向かって、ユーザが第２表示領域２２０を指でなぞることにより、表示Ｆに続くメールの内容を表示させることができる。また、第２表示領域２２０の左縁から右縁に向かって、ユーザが第２表示領域２２０を指でなぞることにより、現在表示されているメールの内容より前に表示されていたメールの内容が、第２表示領域２２０に表示される。このように、第２表示領域２２０の表示が変化しても、第１表示領域２１０の表示は変化しない。
【００６７】
また、ユーザがボタンｂｂ２を指でタッチした場合、表示部２０の表示面には、メールに関する内容（メールの送信者、タイトル、または内容等）が表示されなくなる。つまり、ユーザがボタンｂｂ２を指でタッチした場合、ユーザはメールの内容を後で読むことができ、第１表示領域２１０および第２表示領域２２０の表示が、メールが着信する前の表示になる。
【００６８】
なお、図９の（ｂ）に示すように、第１表示領域２１０および第２表示領域２２０の両方にメールの内容が表示されてもよい。例えば、図９の（ｂ）に示すように、第１表示領域２１０には表示Ｇが表示され、第２表示領域２２０には表示Ｈが表示される。第１表示領域２１０および第２表示領域２２０の両方にメールの内容が表示される場合、第１表示領域２１０に表示されているメールの内容の続きが、第２表示領域２２０に表示される。
【００６９】
ユーザが、第２表示領域２２０から第１表示領域２１０に向かって、表示面を指でなぞることにより、第１表示領域２１０に表示されているメールの内容（表示Ｇ）が表示されなくなる。また、第２表示領域２２０に表示されているメールの内容（表示Ｈ）が、第１表示領域２１０に表示されるようになる。さらに、表示されていなかった表示Ｈのメールの内容の続きが、第２表示領域２２０に表示されるようになる。つまり、ユーザが、第２表示領域２２０から第１表示領域２１０に向かって、表示面を指でなぞることにより、表示が右から左へとスクロールされる。
【００７０】
なお、図９の（ａ）および（ｂ）に示す状態において、第３表示領域２３０の表示は、ユーザが操作している画面の表示であり、メールが着信する前の状態から変化しない。
【００７１】
以上により、ユーザは、第３表示領域２３０に表示されている画面を操作しながら、第１表示領域２１０および第２表示領域２２０に表示されるメールの内容を読むことができる。
【００７２】
〔実施形態６〕
本発明の他の実施形態について、図１０に基づいて説明すれば、以下のとおりである。なお、説明の便宜上、前記実施形態にて説明した部材と同じ機能を有する部材については、同じ符号を付記し、その説明を省略する。図１０は、本発明の実施形態６に係る情報端末１の第１表示領域２１０および第２表示領域２２０の表示を示す図である。
【００７３】
図１０の（ａ）に示すように、例えば、第１表示領域２１０に、アイコンｉ１〜ｉ４が表示され、第２表示領域２２０に、アイコンｉ５〜ｉ８が表示されるとする。第１表示領域２１０には、情報端末１の各機能および／またはアプリケーションからの通知を表示し、第２表示領域２２０には、情報端末１としての基本的な情報を表示する。
【００７４】
つまり、第１表示領域２１０に表示するものと、第２表示領域２２０に表示するものとを、表示するものの種類で分けてもよい。例えば、図１０の（ａ）に示すように、第１表示領域２１０には、アプリケーションに関するアイコンを表示させ、第２表示領域２２０には、システムに関するアイコンを表示させてもよい。アプリケーションに関するアイコンとは、例えば、メールおよび天気等のアイコンであり、システムに関するアイコンとは、無線ＬＡＮの電波強度および電池の残量等のアイコンである。
【００７５】
ユーザが、第１表示領域２１０を左方向または右方向に指でなぞると、図１０の（ｂ）に示すように、第１表示領域２１０には、表示されていなかったアイコンｉ９〜ｉ１２が表示されるようになる。第１表示領域２１０の表示が変わっても、第２表示領域２２０の表示は変わらない。つまり、第１表示領域２１０の表示は、ユーザによるタッチ操作によってスクロールされ、第２表示領域２２０の表示は、ユーザによるタッチ操作によってスクロールされない。
【００７６】
また、図１０の（ｃ）に示すように、第１表示領域２１０に表示されるアイコンｉ９〜ｉ１１は、第１表示領域２１０内で左側に寄って表示されてもよい。また、第１表示領域２１０に表示されるアイコンｉ９〜ｉ１１は、第１表示領域２１０内で下側に寄って表示されてもよく、第１表示領域２１０の中心に表示されてもよい。
【００７７】
第２表示領域２２０に表示されるアイコンｉ５〜ｉ７は、第２表示領域２２０内で右側に寄って表示されてもよい。また、第２表示領域２２０に表示されるアイコンｉ５〜ｉ７は、第２表示領域２２０内で下側に寄って表示されてもよく、第２表示領域２２０の中心に表示されてもよい。さらに、第１表示領域２１０に表示されている点線部分がユーザによってタッチされると、現在表示されているアイコンｉ５〜ｉ７が、現在表示されていないアイコンに切り替わる。
【００７８】
ここまで、第１表示領域２１０の表示が変わり、第２表示領域２２０の表示が変わらない場合について説明してきたが、第１表示領域２１０の表示が変わらずに、第２表示領域２２０の表示が変わってもよい。
【００７９】
なお、図１０の（ａ）〜（ｃ）において、第１表示領域２１０および第２表示領域２２０に表示されているアイコンを、切欠き部２４０に向かって指でなぞると、アイコンが消えるようにしてもよい。具体的には、例えば、アイコンｉ４を、切欠き部２４０に向かって指でなぞると、アイコンｉ４が第１表示領域２１０に表示されなくなるようにしてもよい。
【００８０】
以上により、第１表示領域２１０の表示は、ユーザによるタッチ操作によってスクロールされ、第２表示領域２２０の表示は、ユーザによるタッチ操作によってスクロールされない。よって、例えば、第１表示領域２１０に表示するものと、第２表示領域２２０に表示するものとを、表示するものの種類で分ける場合を考える。この場合、第１表示領域２１０に表示するものは、第２表示領域２２０に表示するものより多く表示される。このため、多く表示させるものを第１表示領域２１０に表示させ、少なく表示させるものを第２表示領域２２０に表示させることができる。
【００８１】
〔ソフトウェアによる実現例〕
情報端末１の制御ブロック（特に通信制御部３１０、表示制御部３２０、タッチ操作検出部３３０、および処理実行部３４０）は、集積回路（ＩＣチップ）等に形成された論理回路（ハードウェア）によって実現してもよいし、ソフトウェアによって実現してもよい。
【００８２】
後者の場合、情報端末１は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central ProcessingUnit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８３】
〔まとめ〕
本発明の態様１に係る電子機器（情報端末１）は、表示面の外縁の少なくとも１辺に形成された切欠き部２４０と、前記切欠き部が形成される１辺に沿って設けられ、かつ、前記切欠き部と隣接する位置に設けられる表示領域（第１表示領域２１０および第２表示領域２２０）と、前記表示領域に対する、ユーザからのタッチ操作を検出するタッチ操作検出部とを備える。
【００８４】
上記構成によれば、タッチ検出部は、切欠き部と隣接する位置に設けられる表示領域に対する、ユーザからのタッチ操作を検出する。よって、切欠きに隣接する表示領域を有効に利用可能な電子機器を実現することができる。
【００８５】
本発明の態様２に係る電子機器（情報端末１）は、上記態様１において、前記表示領域（第１表示領域２１０および第２表示領域２２０）の表示は、前記ユーザによるタッチ操作によってスクロールされてもよい。
【００８６】
上記構成によれば、表示領域の表示は、ユーザによるタッチ操作によってスクロールされるので、表示領域において、ユーザは、より多くの表示を見ることができる。
【００８７】
本発明の態様３に係る電子機器（情報端末１）は、上記態様１において、前記表示領域（第１表示領域２１０および第２表示領域２２０）は、前記切欠き部２４０によって第１表示領域２１０および第２表示領域２２０に分割されてもよい。
【００８８】
上記構成によれば、切欠き部が形成される１辺に沿って設けられる表示領域は、切欠き部によって第１表示領域および第２表示領域に分割される。よって、例えば、第１表示領域および第２表示領域それぞれに、互いに別の内容のものを表示させることができる。
【００８９】
本発明の態様４に係る電子機器（情報端末１）は、上記態様３において、電話の着信があった場合、前記第１表示領域２１０には、前記電話の着信の通知が表示され、前記第２表示領域２２０には、前記電話に応答するための応答ボタン、および前記電話を拒否するための拒否ボタンが表示されてもよい。
【００９０】
上記構成によれば、第１表示領域および第２表示領域にて、電話の着信の通知をユーザに知らせ、かつ、ユーザは電話に応答または拒否することができる。
【００９１】
本発明の態様５に係る電子機器（情報端末１）は、上記態様３において、前記表示面は、前記第１表示領域２１０、前記第２表示領域２２０、および前記切欠き部２４０の内側を含む領域以外の領域である第３表示領域２３０を含み、前記ユーザによってウェブブラウザが起動している場合、前記第１表示領域には、前記ウェブブラウザのページを戻すための第１ボタン（戻るボタンｂａ１）が表示され、前記第２表示領域には、前記ウェブブラウザのページを進めるための第２ボタン（進むボタンｂａ２）が表示され、前記第３表示領域には、前記ウェブブラウザのページの内容が表示されてもよい。
【００９２】
上記構成によれば、例えば、第１表示領域、第２表示領域、および切欠き部の内側を含む領域以外の領域である第３表示領域に戻るボタンおよび進むボタンを表示する必要がないので、第３表示領域の表示可能な範囲を広くすることができる。また、第３表示領域の表示を妨げることなく、ユーザはウェブブラウザを操作することができる。
【００９３】
本発明の態様６に係る電子機器（情報端末１）は、上記態様３において、前記表示面は、前記第１表示領域２１０、前記第２表示領域２２０、および前記切欠き部２４０の内側を含む領域以外の領域である第３表示領域２３０を含み、前記第１表示領域および前記第２表示領域にはそれぞれ、最小化された状態のアプリケーションが表示され、前記最小化された状態のアプリケーションが前記ユーザによりタッチされると、前記アプリケーションに関する内容が前記第３表示領域に表示されてもよい。
【００９４】
上記構成によれば、起動中のアプリケーションが、最小化された状態で第１表示領域および第２表示領域に表示されているので、ユーザは、アプリケーションの切り替えを容易かつ素早く行うことができる。
【００９５】
本発明の態様７に係る電子機器（情報端末１）は、上記態様３において、メールの着信があった場合、前記第１表示領域２１０には、前記メールの着信の通知が表示され、前記第２表示領域２２０には、前記メールの内容を表示させるための表示ボタン（ボタンｂｂ１）、および前記メールの内容を表示させないための非表示ボタン（ボタンｂｂ２）が表示され、前記表示ボタンが前記ユーザによりタッチされると、前記第１表示領域には、前記メールの送信者およびタイトルが表示され、前記第２表示領域には、前記メールの内容が表示され、前記非表示ボタンが前記ユーザによりタッチされると、前記表示面には、前記メールの送信者、タイトル、および内容が表示されなくてもよい。
【００９６】
上記構成によれば、ユーザは、例えば、第１表示領域、第２表示領域、および切欠き部の内側を含む領域以外の領域である第３表示領域に表示されている画面を操作しながら、第１表示領域および第２表示領域に表示されるメールの内容を読むことができる。
【００９７】
本発明の態様８に係る電子機器（情報端末１）は、上記態様３において、前記第１表示領域２１０の表示は、前記ユーザによるタッチ操作によってスクロールされ、前記第２表示領域２２０の表示は、前記ユーザによるタッチ操作によってスクロールされなくてもよい。
【００９８】
上記構成によれば、第１表示領域の表示は、ユーザによるタッチ操作によってスクロールされ、第２表示領域の表示は、ユーザによるタッチ操作によってスクロールされない。よって、例えば、第１表示領域に表示するものと、第２表示領域に表示するものとを、表示するものの種類で分ける場合を考える。この場合、第１表示領域に表示するものは、第２表示領域に表示するものより多く表示される。このため、多く表示させるものを第１表示領域に表示させ、少なく表示させるものを第２表示領域に表示させることができる。
【００９９】
本発明の態様９に係る電子機器の制御方法は、表示面の外縁の少なくとも１辺に形成された切欠き部２４０と、前記切欠き部が形成される１辺に沿って設けられ、かつ、前記切欠き部と隣接する位置に設けられる表示領域（第１表示領域２１０および第２表示領域２２０）とを備える電子機器の制御方法において、前記表示領域に対する、ユーザからのタッチ操作を検出するタッチ操作検出工程を含む。
【０１００】
上記構成によれば、タッチ検出工程にて、切欠き部と隣接する位置に設けられる表示領域に対する、ユーザからのタッチ操作を検出する。よって、切欠きに隣接する表示領域を有効に利用可能な電子機器を実現することができる。
【０１０１】
本発明の各態様に係る電子機器は、コンピュータによって実現してもよく、この場合には、コンピュータを上記電子機器が備える各部（ソフトウェア要素）として動作させることにより上記電子機器をコンピュータにて実現させる電子機器の制御プログラム、およびそれを記録したコンピュータ読み取り可能な記録媒体も、本発明の範疇に入る。
【０１０２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０３】
１  情報端末（電子機器）
１０  通信部
２０  表示部
３０  制御部
４０  記憶部
２１０  第１表示領域（表示領域）
２２０  第２表示領域（表示領域）
２３０  第３表示領域
２４０  切欠き部
２５０  カメラ
３１０  通信制御部
３２０  表示制御部
３３０  タッチ操作検出部
３４０  処理実行部
ａ１〜ａ６、ａａ１〜ａａ１０  アプリケーション
ｂ１  応答ボタン
ｂ２  拒否ボタン
ｂａ１  戻るボタン（第１ボタン）
ｂａ２  進むボタン（第２ボタン）
ｂａ３〜ｂａ５、ｂｂ１、ｂｂ２  ボタン
ｉ１〜ｉ１２  アイコン
【図１】
2019003519.tif 000003
【図２】
2019003519.tif 000004
【図３】
2019003519.tif 000005
【図４】
2019003519.tif 000006
【図５】
2019003519.tif 000007
【図６】
2019003519.tif 000008
【図７】
2019003519.tif 000009
【図８】
2019003519.tif 000010
【図９】
2019003519.tif 000011
【図１０】
2019003519.tif 000012
【国際調査報告】
2019003519.tif 000013
2019003519.tif 000014
2019003519.tif 000015
2019003519.tif 000016